【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
無線通信方法であって、
送信すべきデータパケットの優先度を決定することと、
データチャネルを介して前記データパケットを送信することと、
前記優先度を含む制御メッセージを形成することと、
前記制御メッセージを制御チャネルを介して前記データチャネルと同時に送信することと、
を具備する方法。
【請求項２】
前記優先度はキューＩＤ（ＱＩＤ）フィールド内に記憶される請求項１に記載の方法。
【請求項３】
前記制御チャネル及び前記データチャネルはＷ−ＣＤＭＡチャネルを含む請求項１に記載の方法。
【請求項４】
前記制御メッセージはさらに流出指示を含む請求項１に記載の方法。
【請求項５】
前記流出指示は、前記データパケットの前記優先度とは異なる優先度をもつ少なくとも１つのデータチャネルを流出するための指示を含む請求項４に記載の方法。
【請求項６】
前記データチャネルはハイブリッド自動再送（ＨＡＲＱ）チャネルを含む請求項１に記載の方法。
【請求項７】
無線通信装置であって、
送信すべきデータパケットの優先度を決定するための手段と、
データチャネルを介して前記データパケットを送信するための手段と、
前記優先度を含む制御メッセージを形成するための手段と、
前記制御メッセージを制御チャネルを介して前記データチャネルと同時に送信するための手段と、
を具備する装置。
【請求項８】
前記優先度はキューＩＤ（ＱＩＤ）フィールド内に記憶される請求項１に記載の方法。
【請求項９】
前記データチャネルはハイブリッド自動再送（ＨＡＲＱ）チャネルを含む請求項７に記載の装置。
【請求項１０】
装置であって、
送信すべきデータパケットの優先度を決定し、データチャネルを介して前記データパケットを送信し、前記優先度を含む制御メッセージを形成し、前記制御メッセージを制御チャネルを介して前記データチャネルと同時に送信するように構成されたコントローラを具備する装置。
【請求項１１】
前記優先度はキューＩＤ（ＱＩＤ）フィールド内に記憶される請求項１０に記載の装置。
【請求項１２】
前記制御チャネル及び前記データチャネルはＷ−ＣＤＭＡチャネルを含む請求項１０に記載の装置。
【請求項１３】
前記制御メッセージはさらに流出指示を含む請求項１０に記載の装置。
【請求項１４】
前記流出指示は、前記データパケットの前記優先度とは異なる優先度をもつ少なくとも１つのデータチャネルを流出するための指示を含む請求項１３に記載の装置。
【請求項１５】
前記データチャネルはハイブリッド自動再送（ＨＡＲＱ）チャネルを含む請求項１０に記載の装置。
【請求項１６】
アクセス端末であって、
データチャネルからのデータに基づいて情報を表示するためのスクリーンと、
前記情報を表示するように構成された１つまたはそれ以上の入力キーと、
送信すべきデータパケットの優先度を決定し、データチャネルを介して前記データパケットを送信し、前記優先度を含む制御メッセージを形成し、前記制御メッセージを制御チャネルを介して前記データチャネルと同時に送信するように構成されたコントローラと、
を具備するアクセス端末。
【請求項１７】
アクセスポイントであって、
アンテナと、
前記アンテナを介してデータパケットを送信するように構成された送信器と、
送信すべきデータパケットの優先度を決定し、データチャネルを介して前記データパケットを送信し、前記優先度を含む制御メッセージを形成し、前記制御メッセージを制御チャネルを介して前記データチャネルと同時に送信するように構成されたコントローラと、
を具備するアクセスポイント。
【請求項１８】
データを受信するための、機械によって読み取り可能な命令を具備する機械読み取り可能な媒体であって、前記命令は、実行されたときに、前記機械に、
送信すべきデータパケットの優先度を決定することと、
データチャネルを介して前記データパケットを送信することと、
前記優先度を含む制御メッセージを形成することと、
前記制御メッセージを制御チャネルを介して前記データチャネルと同時に送信することと、を行わせるように構成されている機械読み取り可能な媒体。
【請求項１９】
無線通信方法であって、
ハイブリッド自動再送（ＨＡＲＱ）インスタンスにおいて送信されたパケット群から１つ以上のパケットを受信することと、
少なくとも１つの欠落パケットを検出することと、
前記検出された欠落パケットを送信するのに用いられるハイブリッド自動再送チャネルの候補組を決定することと、
条件が満たされたときに前記候補組から少なくとも１つのハイブリッド自動再送チャネルを連続的に除去することによって、前記欠落パケットが順次受信されたかあるいは失われたかを決定することと、
を具備する方法。
【請求項２０】
前記欠落パケットが失われたかあるいは受信されたと判断されたあとに、受信されたパケットをより高位の通信レイヤへと配送することをさらに具備する請求項１９記載の方法。
【請求項２１】
前記パケット群におけるパケットは、前記パケットに割り当てられた送信シーケンス番号（ＴＳＮ）に基づいて順次送信される請求項１９に記載の方法。
【請求項２２】
前記少なくとも１つの欠落パケットは、前記受信された１つ以上のパケットの前記ＴＳＮに基づいて検出される請求項２１に記載の方法。
【請求項２３】
前記欠落パケットが検出されたことに応答してより高位の通信レイヤへのパケットの配送を停止する請求項１９に記載の方法。
【請求項２４】
前記条件は、一定期間のチャネルの不動作の決定、前記チャネル上の前記欠落パケットの復元、前記チャネル上での新たなパケットの検出、前記チャネルを流出するための指示の受信、前記欠落パケットの優先度の受信、のいずれかを含む請求項１９に記載の方法。
【請求項２５】
前記ハイブリッド自動再送チャネルの候補組を決定することは、すべてのアクティブチャネルを識別することを含む請求項１９に記載の方法。
【請求項２６】
前記欠落パケットを検出するのに用いられる次のパケットが受信されるチャネルは、前記ハイブリッド自動再送チャネルの候補組内に含まれない請求項１９に記載の方法。
【請求項２７】
前記欠落パケットは、前記除去される識別されたチャネルに応答して失われたと決定される請求項１９に記載の方法。
【請求項２８】
前記ハイブリッド自動再送チャネルの候補組を決定することは、遅延タイマーを使用することを含む請求項１９に記載の方法。
【請求項２９】
前記ハイブリッド自動再送チャネルの候補組を決定することは、特定の優先キューに対して用いられるチャネルのみを識別することを含む請求項１９に記載の方法。
【請求項３０】
前記条件が満たされたときに各チャネルを前記除去することは、流出指示に応答して前記チャネルを流出することを含む請求項１９に記載の方法。
【請求項３１】
装置であって、
ハイブリッド自動再送（ＨＡＲＱ）インスタンスにおいて送信されたパケット群から１つ以上のパケットを受信するための手段と、
少なくとも１つの欠落パケットを検出するための手段と、
前記検出された欠落パケットを送信するのに用いられるハイブリッド自動再送チャネルの候補組を決定するための手段と、
条件が満たされたときに前記候補組から少なくとも１つのハイブリッド自動再送チャネルを連続的に除去することによって、前記欠落パケットが順次受信されたかあるいは失われたかを決定するための手段と、
を具備する方法。
【請求項３２】
前記欠落パケットが失われたかあるいは受信されたと判断されたあとに、受信されたパケットをより高位の通信レイヤへと配送することをさらに具備する請求項３１記載の方法。
【請求項３３】
アクセス端末であって、
表示スクリーンと、
１つ以上の入力キーと、
ハイブリッド自動再送インスタンスにおいて送信されたパケット群から１つ以上のパケットを受信し、少なくとも１つの欠落パケットを検出し、前記検出された欠落パケットを送信するのに用いられるハイブリッド自動再送チャネルの候補組を決定し、条件が満たされたときに前記候補組から少なくとも１つのハイブリッド自動再送チャネルを連続的に除去することによって、前記欠落パケットが順次受信されたかあるいは失われたかを決定するように構成されたコントローラと、を具備するアクセス端末。
【請求項３４】
アクセスポイントであって、
アンテナと、
ハイブリッド自動再送インスタンスにおいて送信されたパケット群から１つ以上のパケットを受信し、少なくとも１つの欠落パケットを検出し、前記検出された欠落パケットを送信するのに用いられるハイブリッド自動再送チャネルの候補組を決定し、条件が満たされたときに前記候補組から少なくとも１つのハイブリッド自動再送チャネルを連続的に除去することによって、前記欠落パケットが順次受信されたかあるいは失われたかを決定するように構成されたコントローラと、を具備するアクセス端末。
【請求項３５】
データを受信するための機械によって実行可能な命令を含む機械読み取り可能な媒体であって、前記命令は、実行されたときに、前記機械に、ハイブリッド自動再送インスタンスにおいて送信されたパケット群から１つ以上のパケットを受信し、少なくとも１つの欠落パケットを検出し、前記検出された欠落パケットを送信するのに用いられるハイブリッド自動再送チャネルの候補組を決定し、条件が満たされたときに前記候補組から少なくとも１つのハイブリッド自動再送チャネルを連続的に除去することによって、前記欠落パケットが順次受信されたかあるいは失われたかを決定させるように構成されている機械読み取り可能な媒体。